(57)【要約】【課題】ＯＴＣ医薬品の購入者にＯＴＣ医薬品に使用上の注意を簡単な操作で提供し、またＯＴＣ医薬品の販売者に課せられる販売時の購入者への説明業務の省力化を実現するシステムの提供が課題である。【解決手段】ＯＴＣ医薬品の外箱に印刷されたバーコードを読み取り機で読み取りるか、タッチパネル式コンピュータに表示されるガイドを操作することで、ＯＴＣ医薬品の使用上の注意を表示、印刷できるプログラムを作成し、タッチパネル式コンピュータに記録する。ＯＴＣ医薬品の購入者ならびに販売者はこのシステムを使用することでＯＴＣ医薬品の使用上の注意を、ＯＴＣ医薬品の外箱を開封せずに簡単に確認することができる。【選択図】図１
0003150049.tif 000002
【実用新案登録請求の範囲】
【請求項１】
ＯＴＣ医薬品に添付されているバーコードを読み取るバーコード読み取り機と、
この読み取り機から送られた信号を処理する手段を有するタッチパネル式コンピュータ
で構成され、
該タッチパネル式コンピュータはＯＴＣ医薬品の使用上の注意に関する情報を記憶し処理する手段を有し、
バーコード読み取り機から送られた信号によってＯＴＣ医薬品を特定し、
該ＯＴＣ医薬品の使用上の注意をタッチパネル式コンピュータのＣＲＴ部に表示すること
を特徴とするＯＴＣ医薬品使用時の安全確保を担保する情報提供システム。
【請求項２】
前記タッチパネル式コンピュータは
薬効をもとに任意に分類されたＯＴＣ医薬品のデータベースと、薬効の分類をＣＲＴ部に表示する機能と、ＣＲＴ部をタッチすることによってＯＴＣ医薬品を特定する機能を備えることを特徴とするＯＴＣ医薬品使用時の安全確保を担保する情報提供システム。
【請求項３】
前記タッチパネル式コンピュータは
ＯＴＣ医薬品に関する情報を記憶し処理する手段を有し、
ＣＲＴ部分にＯＴＣ医薬品を選択するガイド画面を表示する機能と、
ＯＴＣ医薬品の使用上の注意に関する情報を操作する機能と、
ＯＴＣ医薬品の使用上の注意に関する情報を印刷する機能
を有することを特徴とするＯＴＣ医薬品使用時の安全確保を担保する情報提供システム。
【請求項４】
前記タッチパネル式コンピュータは
ＯＴＣ医薬品の副作用および特に乳幼児に対する投薬抑制に関する注意喚起を目的とする画面を表示し、ＯＴＣ医薬品服用時の安全を確保することを特徴とするＯＴＣ医薬品使用時の安全確保を担保する情報提供システム
【考案の詳細な説明】
【技術分野】
【０００１】
本考案は、薬局・薬店等においてＯＴＣ医薬品の使用上の注意に関する情報を提供し、ＯＴＣ医薬品の安全性と有効性の確保および服用に伴う危険を予防するシステムに関する。
【背景技術】
【０００２】
従来の技術として、特開平１０−３３４１６９がある。これは一般薬の有効性と安全性を確保し、副作用による薬害を防ぐことを目的としたシステムであるが、参照したい一般薬が決まっている場合にも、ガイド画面から目的の一般薬を探さなければその一般薬についての情報を得る事ができず、現実には薬局・薬店等の店頭で導入されている例は見受けられない。
【特許文献１】特開平１０−３３４１６９
【考案の開示】
【考案が解決しようとする課題】
【０００３】
薬事法の改正に伴い、ＯＴＣ医薬品として販売される医薬品の種類が増え、また販売者についても登録販売者制度が設けられることにより、従来の薬剤師の他に販売に従事する者の種類も増える。同時に販売者にはＯＴＣ医薬品の副作用についての説明義務が課せられ店頭業務の負担が増えることが予想されるため、薬局・薬店における店頭業務の負担を軽減し、購入者には多種にわたるＯＴＣ医薬品の有効性と安全性を担保するシステムの提供が課題である。
【０００４】
薬の副作用としてアナフィラキシーやスティーブンス・ジョンソン症候群などが知られるが、特にスティーブンス・ジョンソン症候群は死に至る場合もある重篤な副作用である。０００３に記載の通り薬事法の改正により、ＯＴＣ医薬品として販売される薬の種類が増えるに伴い、これらの副作用を未然に防ぐシステムの必要性および重要性が高まる。
【０００５】
ＯＴＣ医薬品として販売される医薬品の種類が増えることにより、副作用の危険性の高い薬もＯＴＣ医薬品として販売されるが、現在ＯＴＣ医薬品に添付されている使用上の注意が記載されている書類はほとんどがＯＴＣ医薬品の外箱を開封しなければ確認することができないため、ＯＴＣ医薬品の販売者に確認するしか購入者は副作用などを確認する手段がない。よって購入者自身がＯＴＣ医薬品の外箱を開けなくても簡単に自分で使用上の注意が確認できる手段を提供することが課題である。
【課題を解決するための手段】
【０００６】
本考案に関わるシステムでは、ＯＴＣ医薬品が保存されている容器および外箱に貼付されているバーコードを読み取る事のできるバーコード読み取り機、ならびにこのバーコード読み取り機から送られた信号を受け付け、受け付けた信号に関連付けされた情報を表示装置に表示が可能で、該情報を印刷可能な小型の印刷装置も内蔵しているタッチパネル式コンピュータ（以下タッチパネル式コンピュータと記す）を備える。
【０００７】
ＯＴＣ医薬品を特定する情報は該ＯＴＣ医薬品の保存されている容器あるいは外箱にバーコードとして正確に記載されており、またそれらをバーコード読み取り機に読み取らせることによって正確にタッチパネル式コンピュータへ信号を送る事ができる。
【０００８】
タッチパネル式コンピュータはＯＴＣ医薬品の情報に関するデータおよびプログラムを記録しており、バーコード読み取り機およびタッチパネルから送られた信号に該当するＯＴＣ医薬品に関する情報を表示部でもあるタッチパネルに表示する。
【０００９】
タッチパネル式コンピュータはタッチパネルにガイドを表示することができ、バーコード読み取り時以外にも購入者や販売者など操作する者のタッチパネルの操作により、所定の情報を表示部に表示することができる。
【００１０】
タッチパネル式コンピュータは印刷装置と印刷に関するプログラムも内蔵しており、購入者や販売者などの操作する者は、タッチパネルを操作することによって、ＯＴＣ医薬品に関する情報を印刷することができる。
【考案の効果】
【００１１】
購入者は、購入したいＯＴＣ医薬品をバーコード読み取り機にかざすだけで、簡単にＯＴＣ医薬品の使用上の注意を確認および印刷でき、ＯＴＣ医薬品の外箱を開封することなく副作用などの危険を回避することができ、ＯＴＣ医薬品の有効性と安全性を確保することができる。
【００１２】
このことにより販売者は購入者へのＯＴＣ医薬品の説明に関わる労力を省力化することができ、登録販売者制度開始後も販売窓口における混乱を予防できる。
【００１３】
ＯＴＣ医薬品は特に乳幼児の服用について心配されるが、タッチパネル式コンピュータに表示されるガイドのうち乳幼児を選択した場合、特別に注意をうながす表示がなされることによりその点についても購入者に対して注意喚起をうながし、副作用などの薬害を予防することができる。
【考案を実施するための最良の形態】
【００１４】
本考案を実施するにあたり、購入者と販売者では利用する立場の違いから、購入者向けには一部機能を制限する部分があるため、購入者向けと販売者向けとに分けて説明する。
【００１５】
購入者向けの実施の形態を説明する。
【００１６】
購入者は必要なＯＴＣ医薬品を購入するために薬局・薬店に赴いてＯＴＣ医薬品を手に取り、店頭に設置してある図１のバーコード読み取り機２で該ＯＴＣ医薬品のバーコード部分を読み取ると、図１のタッチパネル４にその使用上の注意が表示される。
【００１７】
目的とするＯＴＣ医薬品が決まっていない場合は、図１のタッチパネル４に表示されるガイドをタッチすることで目的のＯＴＣ医薬品を探し、使用上の注意を確認することができる。
【００１８】
前述の操作で確認した内容を図１のタッチパネル４に表示される印刷に関するガイドをタッチすることで目的の情報を図１の印刷用紙排出口３より印刷することができる。
【００１９】
次に販売者向けの実施の形態を説明する。
【００２０】
薬局・薬店等に設置されるカウンターにおいて販売者は、購入者からの要望に応じて前述の００１６、００１７および００１８に記載の操作を行い、口頭によるＯＴＣ医薬品の説明と同時に該ＯＴＣ医薬品の使用上の注意を印刷して購入者に渡す事ができる。
【００２１】
販売者はＯＴＣ医薬品に関する知識が豊富であるという前提の下、販売者側システムはＯＴＣ医薬品を品名の入力によって特定できる機能を備えており、前述のように使用上の注意の確認及び印刷ができる。なお品名の入力はタッチパネル４に表示されるガイドを使用するものである。
【実施例】
【００２２】
以下に本考案を図面に示す実施例に基づいて説明する。図１は本考案で使用する機器の構成を示す図である。
【００２３】
１はタッチパネル式コンピュータ、２はバーコード読み取り機、３は１に内蔵されている印刷機より排出される印刷用紙の排出口、４は１のタッチパネルである。
【００２４】
図１に示す機器は薬局・薬店等の店頭およびカウンターに設置され、購入者および販売者が操作する。
【００２５】
続いて購入者および販売者が本考案に関するシステムを操作する手順を示す処理フロー図２について説明する。
【００２６】
タッチパネル式コンピュータ１は起動直後および前回操作してより一定時間が経過すると、スタート画面（Ｓｔｅｐ１）を表示する。
【００２７】
ＯＴＣ医薬品の指定方法は以下の通りである。
（１）使用上の注意を確認したいＯＴＣ医薬品が決まっている場合は、バーコード読み取り機２でＯＴＣ医薬品の外装に印刷されているバーコードを読み取る（Ｓｔｅｐ３）。
（２）使用上の注意を確認したいＯＴＣ医薬品が決まっていない場合は、４のタッチパネルに表示されるＯＴＣ医薬品を特定するための情報を選択していく（Ｓｔｅｐ４、Ｓｔｅｐ５、Ｓｔｅｐ６）ことによって目的のＯＴＣ医薬品を探し出すことができる。ＯＴＣ医薬品を特定するための情報の例として薬効があるが、薬効を選択する画面例が図３である。
（３）使用上の注意を確認したいＯＴＣ医薬品が決まっており、バーコード読み取り機を使用しない場合は、タッチパネル４に表示される文字を選択することにより、ＯＴＣ医薬品を特定する（Ｓｔｅｐ１２）。
【００２８】
特定されたＯＴＣ医薬品の副作用とリスクがタッチパネル４に表示される（Ｓｔｅｐ７）。継続を意味する表示が画面上に表示され、その表示部分を指先でタッチすると、次の００２９に説明する画面が表示される。
【００２９】
特に性別、年齢、アレルギー体質に起因する副作用等の注意を促すために、選択中のＯＴＣ医薬品についての性別、年齢、アレルギー体質に関する注意事項をタッチパネル４に表示する（Ｓｔｅｐ８）。表示される注意喚起画面は例えば図４、図５、図６の通りであり、ＯＴＣ医薬品の注意事項によって任意に用意されるものであり、選択中のＯＴＣ医薬品に適するものが表示される。
【００３０】
購入者は表示された副作用とリスクを読み、適否を判断し（Ｓｔｅｐ９）、適すると判断した場合は適するに値する内容の表示をタッチパネル４において選択し、適さないと判断した場合は適さないに値する内容の表示をタッチパネル４において選択する。
【００３１】
適すると判断した場合、該ＯＴＣ医薬品の使用上の注意がタッチパネル４に表示され（Ｓｔｅｐ１０）タッチパネル４に表示されるガイドを操作して該ＯＴＣ医薬品の情報の印刷（Ｓｔｅｐ１１）を選択すると、印刷用紙排出口３から目的の情報が印刷された用紙が排出される。
【００３２】
適否の判断（Ｓｔｅｐ９）において否と判断した場合はＳｔｅｐ２に戻る。
【産業上の利用可能性】
【００３３】
薬局・薬店等において購入者がＯＴＣ医薬品を購入する際に使用し、ＯＴＣ医薬品の使用上の注意を確認することで、その安全性と有効性を確保する。また販売者には、販売時に行う使用上の注意の説明作業を補助し、業務の省力化を図る。
【図面の簡単な説明】
【００３４】
【図１】本考案で使用する機器の構成図である。
【図２】本考案で使用するタッチパネル式コンピュータにおける処理フローである。
【図３】薬効を選択する画面を示した図である。
【図４】乳児を選択した場合に表示される注意喚起の画面である。
【図５】副作用に関する注意喚起画面例であり、アナフィラキシーについての記述がなされた画面である。
【図６】副作用に関する注意喚起画面例であり、スティーブンス・ジョンソン症候群についての記述がなされた画面である。
【符号の説明】
【００３５】
１  タッチパネル式コンピュータ
２  バーコード読み取り機
３  印刷用紙排出口
４  タッチパネル
【図１】
0003150049.tif 000003
【図２】
0003150049.tif 000004
【図３】
0003150049.tif 000005
【図４】
0003150049.tif 000006
【図５】
0003150049.tif 000007
【図６】
0003150049.tif 000008
【手続補正書】
【提出日】平成21年2月23日(2009.2.23)
【手続補正１】
【補正対象書類名】実用新案登録請求の範囲
【補正対象項目名】請求項２
【補正方法】変更
【補正の内容】
【請求項２】
前記タッチパネル式コンピュータは
薬効をもとに任意に分類されたＯＴＣ医薬品のデータベースと、薬効の分類をＣＲＴ部に表示する機能と、ＣＲＴ部をタッチすることによってＯＴＣ医薬品を特定する機能を備えることを特徴とする請求項１に記載のＯＴＣ医薬品使用時の安全確保を担保する情報提供システム。
【手続補正２】
【補正対象書類名】実用新案登録請求の範囲
【補正対象項目名】請求項３
【補正方法】変更
【補正の内容】
【請求項３】
前記タッチパネル式コンピュータは
ＯＴＣ医薬品に関する情報を記憶し処理する手段を有し、
ＣＲＴ部分にＯＴＣ医薬品を選択するガイド画面を表示する機能と、
ＯＴＣ医薬品の使用上の注意に関する情報を操作する機能と、
ＯＴＣ医薬品の使用上の注意に関する情報を印刷する機能
を有することを特徴とする請求項１又は２に記載のＯＴＣ医薬品使用時の安全確保を担保する情報提供システム。
【手続補正３】
【補正対象書類名】実用新案登録請求の範囲
【補正対象項目名】請求項４
【補正方法】変更
【補正の内容】
【請求項４】
前記タッチパネル式コンピュータは
ＯＴＣ医薬品の副作用および特に乳幼児に対する投薬抑制に関する注意喚起を目的とする画面を表示し、ＯＴＣ医薬品服用時の安全を確保することを特徴とする請求項１、２又は３に記載のＯＴＣ医薬品使用時の安全確保を担保する情報提供システム。